(57)【特許請求の範囲】
【請求項１】
型閉工程、ノズルタッチ工程、成形材料の計量・射出・冷却工程、ノズルバック工程、型開工程、製品取出工程を順次繰り返す成形サイクルを行う電動式射出成形機の射出ノズルの移動機構として、ボールねじ軸と、ナット体と、ボールねじを回転させる駆動手段と、この駆動手段を制御する制御手段とで構成するとともに、前記射出ノズルは、前記制御手段により、電動式射出成形機の金型装置に押圧させるノズルタッチと金型装置から離すノズルバックとを繰り返すように制御されており、
前記ノズルバック工程時に前記ノズルバックの移動ストロークが前記ボールねじの最小移動ストロークより短い条件下において、成形に必要な最小移動ストロークまで射出ノズルを後退させ、さらに前記ボールねじの最小移動ストローク分まで後退動作を続行させる循環調整工程を前記成形サイクルの型開工程、製品取出工程、型閉工程の何れかの工程時に並行して行うことを特徴とするボールねじの駆動制御装置を備えた電動式射出成形機。
【発明の詳細な説明】
【技術分野】
【０００１】
この発明は、ボールねじ軸と、このボールねじ軸と螺合するナット体と、ボールねじを回転させる駆動手段によって例えば射出ノズルの移動を制御するボールねじの駆動制御装置を備えた電動式射出成形機に関する。
【背景技術】
【０００２】
従来、電動式射出成形機は、射出装置と、固定金型及び可動金型から成る金型装置を備え、前記射出装置の加熱シリンダ内において加熱されて溶融させられた樹脂を射出ノズルから射出し、型閉めした金型装置のキャビティに充填するように構成している。
【０００３】
この種の電動式射出成形機の成形サイクルは、まず、計量工程が行われ、前記加熱シリンダ内において樹脂が蓄えら、金型装置の型閉めが行われた状態で射出工程が行われる。射出ノズルから射出された樹脂は、金型装置内のキャビティ空間に充填され、次に、キャビティ空間内の樹脂の圧力を保持する保圧工程を経て金型装置を冷却させてキャビティ空間内の樹脂を冷却する冷却工程を行う。そして、キャビティ内の樹脂を固化させられることによって成形品になり、型開工程後、金型装置から成形品が取り出される。
【０００４】
ところで、前記射出工程においては、射出ノズルを金型装置に押圧するノズルタッチを行い、成形品の取り出し後は、金型装置から射出ノズルを離すノズルバックが行われているが、前記射出ノズルの移動機構として、ボールねじ軸と、このボールねじ軸と螺合するナット体と、ボールねじを回転させる駆動モータを用いる場合、制御手段によって駆動モータを正方向及び逆方向に駆動するように制御して固定金型に対して射出ノズルを進退させている。
【０００５】
図６は従来の射出成形機の動作を示すタイムチャートであり、タイミングｔ１で型閉が開始される。このとき、駆動モータは停止させられ、射出ノズルは後退位置で待機している。次に、タイミングｔ２で型閉が終了すると前記駆動モータが正方向に駆動され、射出ノズルは前進を開始して固定金型に押圧するノズルタッチが行われ、タイミングｔ３でノズルタッチの終了により、ノズルタッチ位置に到達すると、射出工程が開始され、射出ノズルから射出された樹脂が前記キャビティ空間に充填される。次に、冷却工程が行われ、キャビティ空間内の樹脂が冷却されるとともに、冷却工程が行われる間に次の計量工程が開始される。
【０００６】
次に、冷却後、タイミングｔ４からノズルバッグが行われ、射出ノズルが金型装置から離されてタイミングｔ５で設定後退位置に到達した時、前記駆動モータが停止し、冷却工程が完了するとともに型開きが開始され、タイミングｔ６で金型装置から成形品が取り出される。
【０００７】
ところで、射出ノズルの移動機構として用いられるボールねじの定格寿命（Ｌ）は下記の式で求めることができる。
【表１】
0005047722.tif 000002
また、定格寿命（Ｌ）が求められると寿命時間は、下記の式で求めることができる。
【表２】
0005047722.tif 000003
すなわち、ボールねじの寿命時間は、ストローク長さが短い程、寿命時間は長く、また、成形サイクルの効率化を図るために、ノズルタッチとノズルタッチを行う際の射出ノズルの移動量を極力、少なく抑え、射出ノズルの移動に伴うロスタイムを抑えようにしている。このため、従来の射出成形機は、ノズルタッチとノズルタッチを行う際の射出ノズルの移動は、１ｍｍ程度に設定されていた。このため、射出ノズルは極めて微小なストロークで駆動される。このように、ボールねじのストロークが極端に少ない状態で射出ノズルを駆動する場合、逆にボールねじのストロークの寿命を極端に低下させてしまう。すなわち、ボールねじ軸はナット体と螺合し、その内部にグリース潤滑材を充填することにより潤滑しているが、前述したように、射出ノズルの移動ストロークが極めて微小なことから、ナット体内に充填したグリース潤滑材がナット体の中で十分、攪拌され難く、ナット体に収容される各ボールの同じ箇所に常に大きな負荷が加わることになる為、ボールねじの早期磨耗を引き起こす。このような、潤滑性を考慮すると、ボールねじの回転数Ｓとした場合、Ｓ≧４、すなわち、最低、ボールねじが４回転して進む距離が最小移動ストロークであり、一般に射出成形機に用いられるボールねじが４回転して進む距離（最小移動ストローク）は４０ｍｍ程度である。したがって、本願発明における「ボールねじに設定された最小移動ストローク」とは、ボールねじの潤滑性を考慮したボールねじのストロークであり、具体的には少なくとも、ボールねじが４回転して進む距離と定義する。しかし、実際には前述したように射出成形機に用いられるボールねじの移動ストロークは、１ｍｍ程度であるから、定期的に潤滑剤を給脂してもボールねじが短時間で寿命になってしまい、結果として射出成形機においては、ボールねじを早期に交換するなど成形サイクルの効率化を阻害する要因となっていた。
【０００８】
そこで、この種の射出成形機において、ボールねじの損傷を防止するための技術として、特許文献１には、通常の成形サイクルの動作時と異なる駆動条件でボールねじ軸を回転させてナット体内の潤滑性を高めるための循環調整工程を定期的に行うようにした電動式射出成形機のボールねじ循環装置が提案されている。
【０００９】
【特許文献１】特開平１１−１９８２０６号公報
【発明の開示】
【発明が解決しようとする課題】
【００１０】
しかしながら、特許文献１で示す電動式射出成形機のボールねじ循環装置は、ナット体内のボールを循環させる時期として、電動式射出成形機の運転時間又は運転ショット数に基づいて成形サイクルとは全く異なるタイミングで行われる。このボールねじ循環調整工程は、通常の成形サイクに比べ、ボールねじを低速、低トルク、かつ、長いストロークで駆動するものであるから、ナット体内のボールを循環させる循環調整工程中においては、全く、成形サイクルを全く行わない。換言すれば、運転時間又は運転ショット数に応じて、射出成形機の成形サイクルを停止し、ナット体内のボールを循環させるための循環調整工程を射出成形機の成形サイクルとは別工程（通常の成形サイクルの動作時と異なる駆動条件）で行うことから、射出成形機の成形サイクルの効率が低下する、といった課題を有していた。
【００１１】
そこで、本発明は、上記課題に鑑みてなされたものであり、ロスタイムが発生することなく、ナット体の耐久性を高め、ナット体の早期の損傷を防止することができるボールねじの駆動制御装置を備えた電動式射出成形機を提供することを目的とする。
【課題を解決するための手段】
【００１２】
本発明の請求項１記載のボールねじの駆動制御装置を備えた電動式射出成形機は、型閉工程、ノズルタッチ工程、成形材料の計量・射出・冷却工程、ノズルバック工程、型開工程、製品取出工程を順次繰り返す成形サイクルを行う電動式射出成形機の射出ノズルの移動機構として、ボールねじ軸と、ナット体と、ボールねじを回転させる駆動手段と、この駆動手段を制御する制御手段とで構成するとともに、前記射出ノズルは、前記制御手段により、電動式射出成形機の金型装置に押圧させるノズルタッチと金型装置から離すノズルバックとを繰り返すように制御されており、前記ノズルバック工程時に前記ノズルバックの移動ストロークが前記ボールねじの最小移動ストロークより短い条件下において、成形に必要な最小移動ストロークまで射出ノズルを後退させ、さらに前記ボールねじの最小移動ストローク分まで後退動作を続行させる循環調整工程を前記成形サイクルの型開工程、製品取出工程、型閉工程の何れかの工程時に並行して行うことを特徴とする。
【００１３】
請求項１の構成により、駆動手段によりボールねじを回転駆動すると、ボールねじ軸とナット体との螺合により、被移動体が往復動させる移動工程を繰り返す。この被移動体の移動ストロークは、少なくともボールねじに設定された最小移動ストロークとなるので、被移動体の移動工程において、ナット体内に充填したグリース潤滑材がナット体の中で攪拌され、十分な潤滑性が確保される。また、ボールねじの寿命を保つための循環調整工程を型開、製品取り出し、型開といった他の工程と平行させて行えば、射出ノズルの後退位置を、前記ボールねじの最小移動ストローク分まで後退動作を続行させる循環調整工程においてロスタイムが発生しないため、成形サイクルの短縮化が可能となる。
【発明の効果】
【００１４】
本発明の請求項１記載のボールねじの駆動制御装置を備えた電動式射出成形機によれば、型閉工程、ノズルタッチ工程、成形材料の計量・射出・冷却工程、ノズルバック工程、型開工程、製品取出工程を順次繰り返す成形サイクルを行う電動式射出成形機の射出ノズルの移動機構として、ボールねじ軸と、ナット体と、ボールねじを回転させる駆動手段と、この駆動手段を制御する制御手段とで構成するとともに、前記射出ノズルは、前記制御手段により、電動式射出成形機の金型装置に押圧させるノズルタッチと金型装置から離すノズルバックとを繰り返すように制御されており、前記ノズルバック工程時に前記ノズルバックの移動ストロークが前記ボールねじの最小移動ストロークより短い条件下において、成形に必要な最小移動ストロークまで射出ノズルを後退させ、さらに前記ボールねじの最小移動ストローク分まで後退動作を続行させる循環調整工程を前記成形サイクルの型開工程、製品取出工程、型閉工程の何れかの工程時に並行して行うことで、電動式射出成形機の成形サイクルの効率を落とすことなく、ボールネジの早期の損傷を防止することができる。
【発明を実施するための最良の形態】
【００１５】
本発明は、ボールねじ軸と、このボールねじ軸と螺合するナット体と、ボールねじを回転させる駆動手段と、この駆動手段を制御する制御手段とを備え、該制御手段によって被移動体を微小な移動ストロークで往復動させるように制御するボールねじの駆動制御装置において、前記被移動体の移動ストロークが、前記ボールねじに設定された最小移動ストロークより短い条件下では、少なくとも前記被移動体の後退位置を前記ボールねじの最小移動ストローク分まで後退させるボールねじの駆動制御装置を備えた電動式射出成形機である。
【００１６】
これにより、駆動手段によりボールねじを回転駆動すると、ボールねじ軸とナット体との螺合により、被移動体が往復動させる移動工程を繰り返す。この被移動体の移動ストロークは、少なくともボールねじに設定された最小移動ストロークとなるので、被移動体の移動工程において、ナット体内に充填したグリース潤滑材がナット体の中で攪拌され、十分な潤滑性が確保される。
【００１７】
また、本発明は、ボールねじの駆動制御装置が電動式射出成形機に組み込まれてボールねじの駆動制御装置を備えた電動式射出成形機である。
【００１８】
これにより、電動式射出成形機の成形サイクル中にナット体内に充填したグリース潤滑材がナット体の中で攪拌され、十分な潤滑性が確保される。
【００１９】
また、本発明は、型閉工程、ノズルタッチ工程、成形材料の計量・射出・冷却工程、ノズルバック工程、型開工程、製品取出工程を順次繰り返す成形サイクルを行う電動式射出成形機の射出ノズルの移動機構として、ボールねじ軸と、ナット体と、ボールねじを回転させる駆動手段と、この駆動手段を制御する制御手段とで構成するとともに、前記射出ノズルは、前記制御手段により、電動式射出成形機の金型装置に押圧させるノズルタッチと金型装置から離すノズルバックとを繰り返すように制御されており、前記ノズルバック工程時に前記ノズルバックの移動ストロークが前記ボールねじの最小移動ストロークより短い条件下において、成形に必要な最小移動ストロークまで射出ノズルを後退させ、さらに前記ボールねじの最小移動ストローク分まで後退動作を続行させる循環調整工程を前記成形サイクルの型開工程、製品取出工程、型閉工程の何れかの工程時に並行して行うボールねじの駆動制御装置を備えた電動式射出成形機である。
【００２０】
これにより、電動射出成形機の成形サイクルにおいて射出ノズルは、ボールねじ軸と、ナット体及びボールねじを回転させる駆動手段によって駆動され、金型装置に射出ノズルを押し付けるノズルタッチと、金型装置から射出ノズルを引き離すノズルバックを繰り返し行うように制御されるが、射出ノズルのノズルタッチとノズルバックの移動ストロークを、ボールねじの最小移動ストロークとすることにより、ノズルタッチとノズルバックを行う際、ナット体内に充填したグリース潤滑材がナット体の中で攪拌され、十分な潤滑性が確保される。
【００２１】
さらに、ボールねじの寿命を保つための循環調整工程を型開、製品取り出し、型開といった他の工程と並行させて行えば、射出ノズルの後退位置を、前記ボールねじの最小移動ストローク分まで後退動作を続行させる循環調整工程においてロスタイムが発生しないため、成形サイクルの短縮化が可能となる。
【００２２】
このように、本発明のボールねじの駆動制御装置を備えた電動式射出成形機は、型閉工程、ノズルタッチ工程、成形材料の計量・射出・冷却工程、ノズルバック工程、型開工程、製品取出工程を順次繰り返す成形サイクルを行う電動式射出成形機の射出ノズルの移動機構として、ボールねじ軸と、ナット体と、ボールねじを回転させる駆動手段と、この駆動手段を制御する制御手段とで構成するとともに、前記射出ノズルは、前記制御手段により、電動式射出成形機の金型装置に押圧させるノズルタッチと金型装置から離すノズルバックとを繰り返すように制御されており、前記ノズルバック工程時に前記ノズルバックの移動ストロークが前記ボールねじの最小移動ストロークより短い条件下において、成形に必要な最小移動ストロークまで射出ノズルを後退させ、さらに前記ボールねじの最小移動ストローク分まで後退動作を続行させる循環調整工程を前記成形サイクルの型開工程、製品取出工程、型閉工程の何れかの工程時に並行して行うものであるから、射出ノズルをボールねじで駆動する場合、成形サイクルの高速化に伴って、ボールねじによる射出ノズルの移動ストロークは極めて微小に設定されているが、ボールねじによって往復動する射出ノズルの移動ストロークを、少なくともボールネジに設定された最小移動ストロークとすることによって、ボールネジの早期の損傷を防止することができる。
【００２３】
さらに、型開工程、製品取出工程、型閉工程の何れかの工程時にナット体の循環調整ストロークを組み込むことで、電動式射出成形機の成形サイクルの効率を落とすことなく、ボールネジの早期の損傷を防止することができる。
【００２４】
以下、本発明の実施の形態を電動竪型射出成形機に適用した場合を例にして添付図面を参照して説明する。
【００２５】
図１及図２で示すように、本実施例の電動竪型射出成形機１０は、基台１１上に、型締装置１２と、射出ノズル１３を備えたバレル１３ａおよびホッパ１４等を備えた射出装置１５などが設けられている。射出装置１５は、移動機構として図３に示すように、ボールねじ１６と、このボールねじ１６のボールねじ軸１６ａと、このボールねじ軸１６ａと螺合するナット体１７と、このナット体１７内において前記ボールねじ軸１６ａの案内溝１６ｂに沿って転動する硬球からなるボール１８と、前記ナット体１７を回転させることによってボールねじ軸１６ａに沿って前後進させる駆動手段として正逆回転可能な電動モータ１９と、この電動モータ１９を制御する制御手段２０とを備え、該制御手段２０によって被移動体としての前記射出ノズル１３を基台１１に設けたガイド部材（図示しない）に沿って往復動（図１において矢印Ａ方向）するように制御している。
【００２６】
前記型締装置１２は、基台１１に対して昇降可能な上金型２５を有している。上金型２５は、サーボモータ等の図示しない駆動源によって昇降駆動され、降下したときにターンテーブル２７に設けた下金型２６に対して型締めし、これら金型２５，２６の間に形成されるキャビティ（図示しない）に射出装置１５に設けた射出ノズル１３から溶融樹脂を射出する。また、前記下金型２６を固定するターンテーブル２７は前記基台１１に設けた回転軸２８を中心に水平に回動し、上金型２５の真下に位置した状態で図示しない位置決め装置によって位置決めされる。そして、成形後、ターンテーブル２７を回動させ、下金型２６を開放した位置に下金型２６を回転移送して下金型２６内の成形品をエジェクタ装置（図示せず）によって取り出すように構成している。
【００２７】
次に上記構成により本発明に係る電動竪型射出成形機１０の動作について説明する。まず、計量工程においては、射出装置１５のスクリュー（図示しない）を回転させて後退させ、ホッパ１４から供給された樹脂は、加熱シリンダ内において加熱されて溶融させられ、その溶融樹脂の溜まるのに伴ってスクリューが後退する。
【００２８】
次に、射出工程においては、上金型２５と下金型２６を型閉した後、上金型２５と下金型２６に射出ノズル１３を押し付けるノズルタッチを行う。すなわち、電動モータ１９によりナット体１７を回転させることによって射出装置１５の支持部材１５ａを前記ボールねじナット体１７の回転に伴って移動し、上金型２５と下金型２６との間に射出ノズル１３を押し付ける。この後、射出装置１５のスクリューを前進させ、該スクリューの前方に溜められた樹脂が射出ノズル１３から射出され、上金型２５と下金型２６との間に形成されたキャビティに充填される。
【００２９】
次に、冷却工程が行われ、キャビティ空間内の樹脂が冷却されるとともに、冷却工程が行われる間に次の計量工程が開始される。また、計量工程が完了後、ノズルバッグが行われる。すなわち、電動モータ１９を駆動し、ナット体１７を逆回転させ、上金型２５と下金型２６から射出ノズル１３を離し、射出ノズル１３が後退位置に到達した時、駆動モータ１９の回転を停止する。そして、冷却工程完了後に、上金型２５を上昇させて型開きが開始される。この上金型２５の型開き後、ターンテーブル２７を回動させ、下金型２６を開放位置まで回転移送させた後、下金型２６内の成形品を図示しないエジェクタ装置によって取り出すように構成している。
【００３０】
このような電動竪型射出成形機１０においては、成形サイクルを効率的に行うためには、ノズルタッチを行う際の射出ノズル１３の移動ストロークを極力、少なく抑え、射出ノズル１３の移動に伴うロスタイムを抑えようにしている。このため、射出ノズル１３を駆動するボールねじ１６は極めて短いストロークで駆動されるだけでなく、同じ位置で使用されることが多いため、同じ箇所のボールねじ１６には常に局部的に大きな負荷が加わり、これがボールねじ１６の寿命を短縮化する要因となっている。そこで、電動竪型射出成形機１０の成形サイクル中、少なくとも予めボールねじ１６に設定される最小移動ストローク分、射出ノズル１３を移動させて、ボールねじ１６の同じ箇所に常に大きな負荷が加わらないための循環調整工程を組み込む。なお、本実施例におけるボールねじ１６の最小移動ストロークは、ボールねじナット体１７が概ね４回転して進む４０ｍｍとする。
【００３１】
前記循環調整工程について図４のタイムチャートを参照して説明する。図４に示すように、射出ノズル１３は、成形に必要なノズル後退位置ａまで下げ、冷却工程完了後に型開工程を開始、その冷却工程中、型開工程から製品取出工程の間まで射出ノズル１３をボールねじ１６の最小移動ストロークまで後退させる動作を続行させ、他方、製品取出工程から型閉工程が開始されるまでの間に射出ノズル１３を成形に必要なノズル後退位置ａまで近付け、型閉工程の終了後、射出ノズル１３を上金型２５と下金型２６に押圧するノズルタッチを行う。すなわち、タイミングｔ１で型閉が開始されるが、このとき、射出ノズル１３は後退位置ｃから上金型２５と下金型２６に向かって移動しながら上金型２５と下金型２６の型閉動作が並行して行われる。この射出ノズル１３の後退位置ｃは、少なくとも予めボールねじ１６に設定される最小移動ストローク分を確保した位置であり、具体的には４０ｍｍである。すなわち、図６で示す従来の射出ノズル１３の後退位置ｂは、成形に必要な最低の後退位置ｂ（例えば１ｍｍ）であるが、本実施例においては、ボールねじ１６の最小移動ストロークとなる後退位置ｃ（例えば４０ｍｍ）である。そして、タイミングｔ２で型閉するまでに射出ノズル１３は必要な最低の後退位置ｂ（例えば１ｍｍ）まで移動する。タイミングｔ２で型閉が完了すると、前記駆動モータ１９を正方向に駆動され、射出ノズル１３は前進を開始して上金型２５と下金型２６に押圧するノズルタッチが行われ、タイミングｔ３でノズルタッチが終了した時点で射出工程、冷却工程が行われる。冷却が開始された後（計量完了後）のタイミングｔ４からノズルバッグが行われ、これと並行してタイミングｔ５で後退位置に到達した時、前記駆動モータ１９が停止し、冷却工程が完了するとともに型開きが開始され、タイミングｔ６で金型装置から成形品が取り出される。この時、タイミングｔ４からノズルバッグを開始した射出ノズル１３は、後退位置ｂからさらに移動してボールねじ１６の最小移動ストロークとなる後退位置ｃまで移動する。すなわち、後退位置ｂからボールねじ１６の最小移動ストロークとなる後退位置ｃまで移動するまでがボールねじ１６の循環調整となり、このボールねじ１６の循環調整が電動竪型射出成形機１０の成形サイクルに組み込まれることになる。
【００３２】
以上のように本実施例によれば、射出成形機、特に電動竪型射出成形機１０においては、成形サイクルを効率的に行うためには、射出ノズル１３の移動に伴うロスタイムを抑えるために、射出ノズル１３の移動ストロークは、極めて微小（例えば１ｍｍ）に設定されていたが、冷却工程後のタイミングｔ４から行われる射出ノズル１３のノズルバッグ工程時において、射出ノズル１３に設定された最小移動ストローク分、射出ノズルを移動させて後退位置ｃまで下げることで、ナット体１７内に充填したグリース潤滑材がナット体１７の中で攪拌され、ナット体１７に収容される各ボール１８に局部的に大きな負荷も加わらない。さらに、電動竪型射出成形機１０の成形サイクルの中にボールねじ１６の最小移動ストロークまで射出ノズル１３を後退させる循環調整工程が組み込まれているから、従
来のように、電動竪型射出成形機１０の成形サイクルとは別工程、ノズルバックより長いストロークで射出ノズル１３を移動させる場合に比べ、成形サイクルを能率良く行なうことができ、サイクルタイムを短縮化することができる。
【００３３】
以上のように、本実施例では、ボールねじの循環調整を電動竪型射出成形機１０の成形サイクルに組み込むことによって、成形サイクルを能率良く行なうことができるとともに、グリース潤滑材による循環も確保できるから、ボールねじ１６の早期の損傷を抑えてボールねじ１６の寿命を長期に渡って安定的に保つことができる。なお、図４に示す成形サイクルでは、型開、製品取出、型閉工程と並行させて射出ノズル１３をボールねじ１６の最小移動ストローク（４０ｍｍ）まで後退させる循環調整工程を行うように制御した例を示したが、例えば図５に示すように、ノズルバックとノズルタッチの際、射出ノズル１３に設定された最小移動ストローク分、射出ノズルを移動させて後退位置ｃまで下げ、冷却工程が終わったタイミングｔ５から型開工程を開始し、製品取出後、型閉工程が終了したタイミングｔ２から射出ノズル１３を上金型２５と下金型２６に押圧するノズルタッチを開始してもよい。
【００３４】
以上、本発明を詳述したが、本発明は、前記実施例に限定されるものではなく、本発明の要旨の範囲内において種々変形実施が可能である。例えば、前記実施例においては、電動竪型射出成形機１０を例にして説明したが、必ずしも電動竪型射出成形機１０に限らず、移動機構としてボールねじ軸１６ａとナット体１７との螺合により被移動体を移動する各種の機構に適用可能であり、また、被移動体としても必ずしも射出ノズル１３に限定されるものではない。
【図面の簡単な説明】
【００３５】
【図１】本発明の電動竪型射出成形機の概要を示す正面図である。
【図２】同上、電動竪型射出成形機の概要を示す平面図である。
【図３】同上、ボールねじ軸とナット体との螺合を示す一部を切欠斜視図である。
【図４】同上、ボールねじ軸の循環調整工程を他の成形工程と並行させた場合を示す成形サイクルのタイムチャート図である。
【図５】同上、ボールねじ軸の循環調整工程を他の成形工程と別工程で行う場合を示す成形サイクルのタイムチャート図である。
【図６】従来の電動竪型射出成形機の成形サイクルを示すタイムチャート図である。
【符号の説明】
【００３６】
１０  電動竪型射出成形機
１３  射出ノズル
１５  射出装置
１６  ボールねじ
１６ａ  ボールねじ軸（移動機構）
１７  ナット体（移動機構）
１９  電動モータ（駆動手段）
２０  制御手段
２５  上金型
２６  下金型
【図１】
0005047722.tif 000004
【図２】
0005047722.tif 000005
【図３】
0005047722.tif 000006
【図４】
0005047722.tif 000007
【図５】
0005047722.tif 000008
【図６】
0005047722.tif 000009